(57)【要約】【課題】コンテンツの再生が終了した後に、自装置に接続されているコンテンツ出力装置も電源オフ状態に遷移させるコンテンツ供給装置を提供する。【解決手段】コンテンツを再生するコンテンツ再生処理部１３と、再生したコンテンツをテレビ５０に送信するＨＤＭＩインターフェース部１６と、コンテンツの再生が終了した後に、自装置を電源オフ状態に遷移させる電源制御部１４とを備えており、ＨＤＭＩインターフェース部１６は、コンテンツの再生が終了した後に、取得した装置を電源オフ状態に遷移させるスタンバイコマンドをテレビ５０に送信する。【選択図】図１
2011055142.tif 000002
【特許請求の範囲】
【請求項１】
コンテンツを再生する再生手段と、
上記再生手段において再生されたコンテンツを、ネットワークを介して接続されたコンテンツ出力装置に供給する供給手段と、
上記再生手段において上記コンテンツの再生が終了した後、上記コンテンツ出力装置に対して、電源オフ状態に遷移させるための遷移コマンドを発行する発行手段と、
を備えていることを特徴とするコンテンツ供給装置。
【請求項２】
上記発行手段は、上記ネットワークに含まれる全ての装置に対して、上記遷移コマンドを発行することを特徴とする請求項１に記載のコンテンツ供給装置。
【請求項３】
上記発行手段は、上記再生手段においてコンテンツの再生が終了した時点で、上記ネットワークに含まれる何れの装置からも上記コンテンツ出力装置に対してコンテンツが供給されていない場合に、上記コンテンツ出力装置に対して上記遷移コマンドを発行することを特徴とする請求項１または２に記載のコンテンツ供給装置。
【請求項４】
操作入力デバイスを介して入力されたユーザーからの操作を受け付ける受付手段をさらに備えており、
上記発行手段は、上記再生手段においてコンテンツの再生が終了した後に、上記受付手段が所定時間内に上記操作を受け付けない場合に、上記コンテンツ出力装置に対して上記遷移コマンドを発行することを特徴とする請求項１から３のいずれか１項に記載のコンテンツ供給装置。
【請求項５】
上記供給手段および上記発行手段は、ＨＤＭＩ規格のインターフェースを介して、上記コンテンツの供給および上記遷移コマンドの発行を行うものであり、当該遷移コマンドは、ＨＤＭＩ規格に基づくＣＥＣコマンドであることを特徴とする請求項１から４のいずれか１項に記載のコンテンツ供給装置。
【請求項６】
ネットワークを介してマスター装置に接続されたスレーブ装置であって、
データを処理する処理手段と、
上記処理手段において処理されたデータを上記マスター装置に供給する供給手段と、
上記処理手段において上記データの処理が終了した後、上記マスター装置に対して電源オフ状態に遷移させるための遷移コマンドを発行する発行手段と、
を備えていることを特徴とするスレーブ装置。
【請求項７】
コンテンツを再生する再生ステップと、
上記再生ステップにおいて再生されたコンテンツを、ネットワークを介して接続されたコンテンツ出力装置に供給する供給ステップと、
上記再生ステップにおける上記コンテンツの再生が終了した後、上記コンテンツ出力装置に対して、電源オフ状態に遷移させるための遷移コマンドを発行する発行ステップと、
を含むことを特徴とする電源遮断方法。
【請求項８】
請求項１から５のいずれか１項に記載のコンテンツ供給装置を備えているコンピュータを動作させるプログラムであって、上記コンピュータを上記の各手段として機能させるためのプログラム。
【請求項９】
請求項８に記載のプログラムを記録しているコンピュータ読み取り可能な記録媒体。
【発明の詳細な説明】
【技術分野】
【０００１】
本発明は、コンテンツを出力する出力装置に対してコンテンツを供給するコンテンツ供給装置に関する。特には、コンテンツの再生処理が終了した後、自装置を電源オフ状態に遷移させると共に、自装置に接続された他装置も電源オフ状態に遷移させる機能を備えたコンテンツ供給装置に関する。
【背景技術】
【０００２】
近年、ＤＶＤやＢＤなどの光ディスク対してコンテンツデータを記録したり、光ディスクに記録されたコンテンツデータを読み出してコンテンツを再生したりするレコーダ装置が普及している。
【０００３】
また、レコーダ装置は、ＨＤＭＩ（High-Difinition Multimedia Interface）やＬＡＮ（Local Area Network）などを介してテレビやＡＶアンプなどの他のＡＶ機器に接続されることが多い。
【０００４】
ＨＤＭＩまたはＬＡＮを介して接続されたレコーダ装置と他のＡＶ機器との間では、コンテンツデータのみならず、機器の動作を制御するための制御信号のやり取りも可能である。例えば、ユーザが、テレビに対してコンテンツの録画を指示し、テレビは、その指示に基づき、自動的にレコーダ装置に録画開始を指示することもできる。このように、機器の間で制御信号をやりとりすることにより、ユーザは複数の機器を別々に操作する必要がなくなるため、従来に比べて、飛躍的に操作性が高まることになる。
【０００５】
ここで、ユーザがＢＤまたはＤＶＤから再生しているコンテンツを視聴中にうたた寝してしまい、目覚めたときには、すでにコンテンツの再生が終了しているようなことがよくある。また、ユーザが録画したコンテンツを視聴中に、急な用事が生じたため、レコーダ装置およびテレビの電源を切らずに外出してしまうこともある。
【０００６】
このような場合、当然のことながら、誰も視聴していないにも関わらず、レコーダ装置およびテレビはついたまま（すなわち、電源オンのまま）である。また、レコーダ装置におけるコンテンツの再生が終了しても電源をオフにする人がいないため、ユーザーまたは他の家族が気付いて電源をオフにするまで電源はオンのままである。そのため、無駄な電力を消費することになる。このような状態を防止するために、例えば、特許文献１には、ディスクからの再生信号がなくなったことを検出し装置本体の電源を自動的にオフにする技術が開示されている。
【０００７】
しかし、特許文献１に開示されている技術は、自装置の電源を自動的にオフにするのみであり、その装置に接続されている他の機器の電源をオフにすることはできない。他機器の電源をオフにするための技術としては、例えば、特許文献２には、外部機器（ゲーム機器）から入力される信号を表示した時間が予め設定している基準時間に達した場合に、外部機器（ゲーム機器）の電源をオフにするテレビが開示されている。
【先行技術文献】
【特許文献】
【０００８】
【特許文献１】実開昭６４−２４５６１（昭和６４年２月９日公開）
【特許文献２】特開２００８−３０４６１６（平成２０年１２月１８日公開）
【発明の概要】
【発明が解決しようとする課題】
【０００９】
しかし、特許文献２に開示されているテレビでは、例えば映画などのように再生時間が一定ではないようなコンテンツを再生する場合には、映画の途中でレコーダ装置の電源がオフになってしまう（または、電源がオフになる警告が表示される）ことになり、ユーザーにとっては非常に使用し難い。
【００１０】
このように、取得したコンテンツをユーザーに対して出力する側の装置（コンテンツ出力装置）において電源オフ状態に遷移させるためのタイミングを設定した場合、コンテンツ出力装置において出力対象となるコンテンツの再生所要時間に応じて、コンテンツ出力装置を電源オフ状態に遷移させることは難しいという問題を有している。なお、ここでのコンテンツの再生所要時間は、コンテンツ出力装置においてコンテンツの出力に要する時間と同一である。
【００１１】
本発明は、上記の問題に鑑みてなされたものであり、その主たる目的は、コンテンツを出力する出力装置に対してコンテンツを供給するコンテンツ供給装置であって、自装置における所定の処理をトリガとしてコンテンツ出力装置を電源オフ状態に遷移させるコンテンツ供給装置を提供することにある。
【課題を解決するための手段】
【００１２】
本発明に係るコンテンツ供給装置は、上記課題を解決するために、
コンテンツを再生する再生手段と、
上記再生手段において再生されたコンテンツを、ネットワークを介して接続されたコンテンツ出力装置に供給する供給手段と、
上記再生手段において上記コンテンツの再生が終了した後、上記コンテンツ出力装置に対して、電源オフ状態に遷移させるための遷移コマンドを発行する発行手段と、
を備えていることを特徴としている。
【００１３】
本発明に係るコンテンツ供給装置は、コンテンツを出力するコンテンツ出力装置に対して再生したコンテンツを供給する供給手段と、コンテンツの再生処理が終了すると、取得した装置を電源オフ状態に遷移させる遷移コマンドをコンテンツ出力装置に発行する発行手段と、を備えている。
【００１４】
このように、本発明に係るコンテンツ供給装置では、コンテンツ出力装置を電源オフ状態へ遷移させるためのタイミングをコンテンツ再生処理の終了としている。すなわち、本発明に係るコンテンツ供給装置では、自装置におけるコンテンツの再生終了をトリガとして遷移コマンドをコンテンツ出力装置に発行している。
【００１５】
これによって、本発明に係るコンテンツ供給装置では、コンテンツの再生所要時間に応じてコンテンツ出力装置を電源オフ状態へ遷移させることができる効果を奏する。
【００１６】
本発明に係るコンテンツ供給装置では、さらに、上記発行手段は、上記ネットワークに含まれる全ての装置に対して、上記遷移コマンドを発行することが好ましい。
【００１７】
上記の構成によれば、ネットワークを介してコンテンツ供給装置に接続されている装置であれば、コンテンツ出力装置以外の機器に対しても遷移コマンドを発行することができる。
【００１８】
これによって、本発明に係るコンテンツ供給装置では、コンテンツの再生が終了した後に、ネットワークに含まれている全ての機器（コンテンツ出力装置を含む）を電源オフ状態に遷移させることができる効果を奏する。
【００１９】
本発明に係るコンテンツ供給装置では、さらに、上記発行手段は、上記再生手段においてコンテンツの再生が終了した時点で、上記ネットワークに含まれる何れの装置からも上記コンテンツ出力装置に対してコンテンツが供給されていない場合に、上記コンテンツ出力装置に対して上記遷移コマンドを発行することが好ましい。
【００２０】
上記の構成によれば、本発明に係るコンテンツ供給装置は、自装置においてコンテンツの再生が終了した時点で、コンテンツ出力装置にコンテンツを供給しているネットワーク上の他の機器を検出する。そして、本発明に係るコンテンツ供給装置は、コンテンツ出力装置に対してコンテンツを供給している他の機器が検出されない場合、遷移コマンドを発行する。
【００２１】
これによって、ユーザーが他機器から供給されているコンテンツを視聴している場合に、コンテンツ出力装置を電源オフ状態に遷移させてしまうことを避けることができる効果を奏する。
【００２２】
本発明に係るコンテンツ供給装置では、さらに、操作入力デバイスを介して入力されたユーザーからの操作を受け付ける受付手段をさらに備えており、上記発行手段は、上記再生手段においてコンテンツの再生が終了した後に、上記受付手段が所定時間内に上記操作を受け付けない場合に、上記コンテンツ出力装置に対して上記遷移コマンドを発行することが好ましい。
【００２３】
上記の構成によれば、コンテンツの再生終了後、一定時間内にユーザーからの操作入力がない場合に遷移コマンドを発行する。
【００２４】
これによって、コンテンツの再生終了後にユーザーが他のコンテンツを視聴したい場合などのように、ユーザーが引き続き何らかの処理を実行することを所望している場合に、コンテンツ出力装置が電源オフ状態に遷移してしまうことを避けることができる効果を奏する。
【００２５】
本発明に係るコンテンツ供給装置では、さらに、上記供給手段および上記発行手段は、ＨＤＭＩ規格のインターフェースを介して、上記コンテンツの供給および上記遷移コマンドの発行を行うものであり、当該遷移コマンドは、ＨＤＭＩ規格に基づくＣＥＣコマンドであることが好ましい。
【００２６】
本発明に係るスレーブ装置は、上記課題を解決するために、
ネットワークを介してマスター装置に接続されたスレーブ装置であって、
データを処理する処理手段と、
上記処理手段において処理されたデータを上記マスター装置に供給する供給手段と、
上記処理手段において上記データの処理が終了した後、上記マスター装置に対して電源オフ状態に遷移させるための遷移コマンドを発行する発行手段と、
を備えていることを特徴としている。
【００２７】
上記の構成によれば、本発明に係るコンテンツ供給装置と同様の作用効果を奏する。
【００２８】
本発明に係る電源遮断方法は、上記課題を解決するために、
コンテンツを再生する再生ステップと、
上記再生ステップにおいて再生されたコンテンツを、ネットワークを介して接続されたコンテンツ出力装置に供給する供給ステップと、
上記再生ステップにおける上記コンテンツの再生が終了した後、上記コンテンツ出力装置に対して、電源オフ状態に遷移させるための遷移コマンドを発行する発行ステップと、
を含むことを特徴としている。
【００２９】
上記の構成によれば、本発明に係るコンテンツ供給装置と同様の作用効果を奏する。
【００３０】
また、本発明に係るコンテンツ供給装置を動作させるためのプログラムであって、コンピュータを上記の各手段として機能させることを特徴とするプログラム、および、そのプログラムを記録したコンピュータ読み取り可能な記録媒体も本発明の範疇に含まれる。
【発明の効果】
【００３１】
本発明に係るコンテンツ供給装置は、コンテンツを出力するコンテンツ出力装置に対して再生したコンテンツを供給する供給手段と、コンテンツの再生処理が終了すると、取得した装置を電源オフ状態に遷移させる遷移コマンドをコンテンツ出力装置に発行する発行手段と、を備えている。
【００３２】
これによって、本発明に係るコンテンツ供給装置では、再生するコンテンツの再生所要時間の長さに応じてコンテンツ出力装置の電源オフ状態への遷移を行うことができる効果を奏する。
【図面の簡単な説明】
【００３３】
【図１】本発明に係るコンテンツ再生装置の要部構成を示すブロック図である。
【図２】本発明に係るコンテンツ再生装置においてコンテンツの再生が終了した後に、テレビの表示部において表示される映像の一例を示す図である。
【図３】本発明に係るコンテンツ再生装置および他装置がＨＤＭＩネットワークを介して、テレビに接続されている状態を示す図である。
【図４】本発明に係るコンテンツ再生装置において、コンテンツの再生が終了したときに、テレビが他装置のコンテンツを出力していない場合の電源オフ処理を示す図である。
【図５】本発明に係るコンテンツ再生装置において、コンテンツの再生が終了したときに、テレビが他装置のコンテンツを出力している場合の電源オフ処理を示す図である。
【図６】本発明に係るコンテンツ再生装置において、コンテンツの再生が終了したときに、テレビが他装置のコンテンツを出力しているか否かを問い合わせた結果、テレビが他装置のコンテンツを出力していないことを検出した場合の電源オフ処理を示す図である。
【図７】本発明に係るコンテンツ再生装置において、コンテンツの再生が終了したときに、テレビが他装置のコンテンツを出力しているか否かを問い合わせた結果、テレビが他装置のコンテンツを出力していることを検出した場合の電源オフ処理を示す図である。
【発明を実施するための形態】
【００３４】
本発明に係るコンテンツ再生装置の一実施形態を図１〜図７を参照しつつ以下に説明する。ここで、本実施形態では、コンテンツ再生装置において再生されるコンテンツが映像コンテンツである場合を例に挙げて説明する。もちろん、コンテンツ再生装置において再生されるコンテンツは、映像コンテンツに限定されるものではなく、音声コンテンツであってもよい。
【００３５】
まず、本発明に係るコンテンツ再生装置の構成について、図１を参照しつつ以下に説明する。図１は、コンテンツ再生装置１０の要部構成を示すブロック図である。
【００３６】
（ＨＤＭＩの概要）
ここで、コンテンツ再生装置１０の構成の説明に先立って、コンテンツ再生装置１０とテレビ５０とを接続しているＨＤＭＩの概要について説明する。
【００３７】
図１に示すように、コンテンツ再生装置１０とテレビ５０とは、ＨＤＭＩケーブル１００を介して接続されている。ＨＤＭＩケーブル１００は、複数のラインから構成され、コンテンツ（映像・音声信号）を送信するストリームライン１０１と、ＣＥＣ（Consumer Electronics Control）コマンドを送信するＣＥＣライン１０２とを備えている。
【００３８】
ＣＥＣコマンドは、ＨＤＭＩにおいて規格化されているＣＥＣプロトコルに基づくコマンド（制御信号）である。ＣＥＣでは、ＨＤＭＩ接続された各機器の論理アドレス（機器の種別）および物理アドレス（機器の位置）が取得されるため、この論理アドレスおよび物理アドレスを指定する情報をＣＥＣコマンド内に格納することにより、所望の機器にＣＥＣコマンドを送信することができる。
【００３９】
論理アドレスは、ＨＤＭＩ−ＣＥＣにおいて０〜１５まで扱えるようになっており、ＨＤＭＩネットワーク内においては唯一名である（ただし、論理アドレス１５を除く）。論理アドレスは、上述したように、接続される機器の種類に応じて異なる。
【００４０】
物理アドレスは、ＨＤＭＩネットワーク内においては唯一名であるが、外部機器が接続されたり、また切り離されたりした場合には自動的に調整される。物理アドレスは、５階層のアドレスを持ち、一般的には（ｎ.ｎ.ｎ.ｎ）と表記する。通常、ＨＤＭＩネットワークにおけるルートデバイスが（０．０．０．０）の物理アドレスを有する。そして、ルートデバイスに直接接続されている１台目の機器の物理アドレスは（１．０．０．０）と表記され、２台目の機器の物理アドレスは（２．０．０．０）と表記される。また、１台目の機器に接続されている１台目の機器の物理アドレスは（１．１．０．０）と表記される。
【００４１】
また、ＣＥＣコマンドには、上記のコマンドの処理実行対象を論理アドレスにより特定するコマンドに加えて、処理実行対象を特定しないコマンドとして、ブロードキャストコマンドがある。ブロードキャストコマンドは、同一のＨＤＭＩネットワークに接続されている全ての機器に対して送信されるコマンドである。
【００４２】
なお、図１では、ＨＤＭＩケーブル１００を介してコンテンツ再生装置１０とテレビ５０とが接続されている場合を例に挙げて説明しているが、コンテンツ再生装置１０とテレビ５０との間の接続はこれに限定されるものではない。例えば、コンテンツ再生装置１０とテレビ５０とは、ＬＡＮケーブルを介して接続されるようにしてもよい。
【００４３】
（コンテンツ再生装置１０の構成）
続いて、コンテンツ再生装置１０の構成について説明する。図１に示すように、コンテンツ再生装置１０は、制御部１１、コンテンツ読出部１２、コンテンツ再生処理部１３、電源制御部１４、操作入力部１５およびＨＤＭＩインターフェース部１６を備えている。
【００４４】
なお、図１に示すテレビ５０は、本発明に係るコンテンツ再生装置を構成する部材ではないが、本発明の理解を容易にするために、便宜上、図１に図示している。テレビ５０は、制御部５１、コンテンツ表示処理部５２、表示部５３、電源制御部５４およびＨＤＭＩインターフェース部５５を備えている。また、本明細書等では、テレビ５０をＨＤＭＩネットワークにおけるルートデバイスとする。
【００４５】
以下、コンテンツ再生装置１０およびテレビ５０を構成する各部材について詳細に説明する。
【００４６】
（制御部１１）
制御部１１は、操作入力デバイスを介したユーザーからの指示、または、ＨＤＭＩインターフェース部１６を介して入力される入力信号などに基づいて、コンテンツ読出部１２、電源制御部１４を制御する。また、テレビ５０などのコンテンツ再生装置１０に直接または間接的に接続されている他装置を制御する制御コマンドの送信を指示する。
【００４７】
（コンテンツ読出部１２）
コンテンツ読出部１２は、制御部１１からの指示に基づいて、図示しないコンテンツ記録部からコンテンツを読み出す。なお。コンテンツ記録部としては、ハードディスク、ＢＤまたはＤＶＤなどの光ディスク、フラッシュメモリなどの半導体メモリなどのコンテンツを記録することができるものであれば特に限定されるものではない。また、コンテンツ記録部はコンテンツ再生装置１０に内蔵されていてもよいし、コンテンツ再生装置１０とは別体の装置として外付けされていてもよい。
【００４８】
（コンテンツ再生処理部１３）
コンテンツ再生処理部１３は、コンテンツ読出部１２において読み出されたコンテンツの再生処理を実行する。具体的には、コンテンツ再生処理部１２は、読み出されたコンテンツをデコード処理したり、テレビ５０において出力可能な形式に変換したりする。
【００４９】
例えば、コンテンツ再生処理部１３は、テレビ５０の有しているＥＤＩＤ（Extended Display Identified Data）を取得し、取得したＥＤＩＤにおける解像度情報、アスペクト比情報およびその他表示条件情報に基づいて、コンテンツをテレビ５０において表示可能な形式に変換する。
【００５０】
（電源制御部１４）
電源制御部１４は、電源部（図示しない）から供給される電力を、コンテンツ再生装置１０を構成する各部材に供給する。電源制御部１４は、制御部１１からの指示に基づいて、コンテンツ再生装置１０を構成する各部材に対する電力の供給を遮断したり、また電力の供給を開始したりもする。
【００５１】
なお、本明細書等においてコンテンツ再生装置１０における各部材に対する電力の供給が遮断されている状態を「電源オフ状態」と称し、コンテンツ再生装置１０における各部材に対して電力が供給されている状態を「電源オン状態」と称する。ここで、本明細書等における「電源オフ状態」とは、必ずしもコンテンツ再生装置１０を構成する全ての部材に対する電力の供給を完全に遮断されている状態（すなわち、電源断状態）に限定されるものではない。本明細書等では、電源断（シャットダウン）状態以外の状態、例えばサスペンド（スタンバイ）状態、スリープ状態およびハイバネーション状態である場合も併せて電源オフ状態と称する。
【００５２】
（操作入力部１５）
操作入力部１５は、リモコン、またはコンテンツ再生装置１０に備えられている操作ボタンなどの操作入力デバイスを介して入力されるユーザーからの指示を受け付ける。操作入力部１５において入力されたユーザーからの指示は、制御部１１に入力される。そして、制御部１１は、入力された指示に基づいて、コンテンツ再生装置１０を構成する各部材を制御し、ユーザーからの指示を実行する。
【００５３】
（ＨＤＭＩインターフェース部１６）
ＨＤＭＩインターフェース部１６は、ＨＤＭＩ規格のインターフェース部である。より具体的には、ＨＤＭＩインターフェース部１６は、コンテンツ再生処理部１３において再生されたコンテンツを、ＨＤＭＩケーブル１００のストリームライン１０１を介して、テレビ５０に対して送信する。また、逆に、テレビ５０からＨＤＭＩケーブル１００のストリームライン１０１を介して送信されるデータを取得する。
【００５４】
また、ＨＤＭＩインターフェース部１６は、取得した装置において所定の処理を実行させるＣＥＣコマンドを、ＨＤＭＩケーブル１００のＣＥＣライン１０２を介してテレビ５０に対して送信する。また、逆に、テレビ５０からＨＤＭＩケーブル１００のＣＥＣライン１０２を介して送信されるＣＥＣコマンドを取得する。
【００５５】
ＨＤＭＩインターフェース部１６がＣＥＣコマンドを取得すると、取得したＣＥＣコマンドを制御部１１に出力する。
【００５６】
（制御部５１）
制御部５１は、コンテンツ表示処理部５２および電源制御部５４を制御する。また、コンテンツ再生装置１０などのテレビ５０に直接または間接的に接続されている他装置を制御する制御コマンドの送信を指示する。
【００５７】
（コンテンツ表示処理部５２）
コンテンツ表示処理部５２は、コンテンツ再生装置１０から送信されたコンテンツを表示部５３に表示する際の処理を実行する。例えば、コンテンツ表示処理部５２は、コンテンツのフレームレート変換などの高品質化処理を実行する。
【００５８】
（表示部５３）
表示部５３は、コンテンツを表示する表示ディスプレイである。ディスプレイとしては、コンテンツ再生装置１０において再生された動画像または静止画像が表示できるものであれば特に限定されるものではない。具体的には、液晶ディスプレイおよび有機ディスプレイなどを挙げることができる。
【００５９】
（電源制御部５４およびＨＤＭＩインターフェース部５５）
電源制御部５４およびＨＤＭＩインターフェース部５５は、コンテンツ再生装置１０における電源制御部１４およびＨＤＭＩインターフェース部５５と同様の処理を実行する部材である。そのため、ここでは詳細な説明を省略する。
【００６０】
（コンテンツ再生装置１０からのテレビ５０の電源オフ処理）
次に、コンテンツ再生装置１０がコンテンツの再生処理を終了した後、自装置を電源オフ状態とすると共に、テレビ５０を電源オフ状態に移行させる電源オフ処理について説明する。
【００６１】
制御部１１は、コンテンツ再生処理部１３におけるコンテンツの再生処理の終了を検出すると、ＨＤＭＩインターフェース部１６に対して、取得した装置を電源オフ状態に移行させるＣＥＣコマンド（以下、スタンバイコマンド（遷移コマンド）と称する）の送信を指示する。
【００６２】
制御部１１から指示を受けたＨＤＭＩインターフェース部１６は、ＨＤＭＩケーブル１００におけるＣＥＣライン１０２を介して、スタンバイコマンドをテレビ５０に送信する。
【００６３】
同時に、制御部１１は、自装置を電源オフ状態とするように電源制御部１４に対して指示する。指示を受けた電源制御部１４は、コンテンツ再生装置１０を構成する各ハードウェアに対する電力の供給を遮断する。これによって、コンテンツ再生装置１０は、電源オフ状態となる。なお、コンテンツ再生装置１０をスタンバイ状態とする場合には、例えば、操作入力部１５、ＨＤＭＩインターフェース部１６などのようなコンテンツ再生処理に関連しないハードウェアについては電力の供給を遮断しないようにしてもよい。また、制御部１１においてもサブマイコンに対する電力供給は遮断しないようにしてもよい。
【００６４】
テレビ５０におけるＨＤＭＩインターフェース部５５は、スタンバイコマンドを取得すると、取得したスタンバイコマンドを制御部５１に出力する。制御部５１は、スタンバイコマンドに基づいて、テレビ５０を電源オフ状態に移行させるように電源制御部５４に対して指示する。指示を受けた電源制御部５４は、テレビ５０を構成する各ハードウェアに対する電力の供給を遮断する。これによって、テレビ５０は、電源オフ状態となる。なお、テレビ５０をスタンバイ状態とする場合には、例えば、図示しない操作入力部、ＨＤＭＩインターフェース部５５などのようなコンテンツ表示処理に関連しないハードウェアについては、継続して電力を供給するようにしてもよい。また、制御部５１においてもサブマイコンに対しては、継続して電力を供給するようにしてもよい。
【００６５】
（コンテンツ再生装置１０の利点）
このように、コンテンツ再生装置１０は、テレビ５０に対して再生したコンテンツを供給するＨＤＭＩインターフェース部１６と、コンテンツの再生処理が終了すると、自装置を電源オフ状態に遷移させる電源制御部１４とを備えている。さらに、コンテンツ再生装置１０におけるＨＤＭＩインターフェース部１６は、コンテンツの再生処理が終了すると、テレビ５０を電源オフ状態に遷移させるスタンバイコマンドをテレビ５０に送信する。
【００６６】
このように、コンテンツ再生装置１０では、テレビ５０を電源オフ状態へ遷移させるためのタイミングをコンテンツ再生処理の終了としている。すなわち、コンテンツ再生装置１０では、自装置におけるコンテンツの再生終了をトリガとしてスタンバイコマンドをテレビ５０に送信している。
【００６７】
これによって、コンテンツ再生装置１０では、自装置において再生するコンテンツ（すなわち、テレビ５０に供給するコンテンツ）の再生所要時間に応じてテレビ５０を電源オフ状態へ遷移させることができる。
【００６８】
ここで、スタンバイコマンドの送信タイミングは、コンテンツの再生終了後であれば特に限定されるものではない。しかし、無駄な電力の消費を防ぐ観点からは、コンテンツの再生終了時点で送信するようにすることが好ましい。
【００６９】
なお、特許文献２に開示されている技術において、電源オフ状態に遷移させるまでの時間を十分に長くした場合には、コンテンツの再生が終了した後もしばらく電源がオフにならず、コンテンツの再生終了後に無駄な電力を消費することになる。コンテンツの再生終了時点でスタンバイコマンドを送信することにより、自装置において再生するコンテンツの再生所要時間に応じてテレビ５０を電源オフ状態へ遷移させつつ、無駄な電力の消費を防ぐことができる。
【００７０】
（コンテンツの再生処理の終了判定）
ここで、コンテンツ再生装置１０において再生するコンテンツの終了を判定するコンテンツ再生終了判定処理の詳細について説明する。
【００７１】
上述したように、制御部１１は、コンテンツ再生処理部１３におけるコンテンツの再生処理の終了を検出して電源オフ処理を実行する。
【００７２】
コンテンツの再生処理の終了の判別方法としては、例えば、再生状態から停止状態への状態の遷移を検出することによる判別を挙げることができる。再生状態から停止状態への状態の遷移は、より具体的には、光ディスクの最終トラックの再生後ののコンテンツ再生装置１０の動作、またはＨＤＤ内のコンテンツを再生した後のコンテンツ再生装置１０の動作により判別することができる。
【００７３】
なお、制御部１１は、ユーザー操作により再生状態から停止状態へ状態が遷移する場合には、再生処理の終了としない。この場合におけるユーザー操作とは、例えば、ユーザーが再生停止ボタンを押下すること、または、ユーザーが早送りもしくはスキップボタンを押下することなどを指す。すなわち、制御部１１は、ユーザーにより停止ボタンが押された場合、および、早送りまたはスキップなどのトリックプレイによりコンテンツの終端に達した場合は、コンテンツ再生処理の終了として検出しない。
【００７４】
また、コンテンツの再生処理終了の判定方法としては、上述した処理の他に、再生するコンテンツの残り時間をカウントダウンし、残り時間が「０」になった時点を再生処理の終了と判定するようにしてもよい。もちろん、コンテンツの再生時間をカウントアップし、所定の値（コンテンツの再生時間）になった時点を再生処理の終了と判定するようにしてもよい。
【００７５】
上述した再生状態から停止状態への遷移を再生処理の終了と判定する処理では、例えば、コンテンツの再生終了後に自動的にメニュー画面に移動するような場合には再生処理の終了を検出することができない。コンテンツ再生の残り時間をカウントダウンする場合には、このような場合であってもコンテンツの再生処理の終了を検出することができる。
【００７６】
ただし、コンテンツの残り時間をカウントする場合には、コンテンツの再生時間は所定の時間以上である場合などのように条件を付加することが好ましい。これによって、タイトルメニューなどにおいて自動的にループ再生するような場合を除外することができる。
【００７７】
なお、上述したコンテンツの再生処理の終了を判定する方法は、一例を示したのみである。もちろん、他の方法を用いてコンテンツの再生処理の終了を判定するようにしてもよい。
【００７８】
（コンテンツ再生終了後の表示）
上述した電源オフ処理では、制御部１１は、コンテンツの再生が終了したことを検出すると同時に自装置およびテレビ５０を電源オフ状態に移行させるようにしているが、もちろんこれに限定されるものではない。コンテンツ再生装置１０は、コンテンツの再生が終了した後に、次の処理をユーザーに問い合わせるようにしてもよい。
【００７９】
コンテンツ再生装置１０においてコンテンツの再生が終了した後に、テレビ５０の表示部５３において表示される映像の一例を図２に示す。
【００８０】
コンテンツ再生装置１０の制御部１１は、コンテンツの再生処理が終了すると、表示部５３において図２に示すような映像が表示されるコンテンツを再生するようにコンテンツ再生処理部１３に対して指示する。なお、図２に示すような映像は、コンテンツ再生装置１０における不図示の記憶部に予め記憶しておくようにすればよい。すなわち、コンテンツ再生処理部１３は、不図示の記憶部から図２に示すよう映像を表示するためのコンテンツを読み出して再生し、ＨＤＭＩインターフェース部１６に出力する。
【００８１】
ＨＤＭＩインターフェース部１６は、再生されたコンテンツをＨＤＭＩケーブル１００のストリームライン１０１を介して、テレビ５０に送信する。
【００８２】
テレビ５０にコンテンツが送信されると、制御部５１は、コンテンツ表示処理部５２に対して取得したコンテンツの表示処理を指示する。コンテンツ表示処理部５２は、コンテンツを表示処理して表示部５３に表示する。
【００８３】
図２に示す映像が表示部５２に表示されることにより、ユーザーは、図２に示されている処理をコンテンツ再生装置１０に対して実行させることができる。
【００８４】
例えば、ユーザーが図２に示されている処理のうち、「ディスクを取り出す」を選択した場合、コンテンツ再生装置１０における操作入力部１５を介して、制御部１１に「ディスクを取り出す」指示（イジェクト指示）が入力される。指示を受けた制御部１１は、コンテンツ読出部１２に対してディスクをイジェクトするように指示する。
【００８５】
また、ユーザーが「電源オフ」を選択した場合には、コンテンツ再生装置１０における操作入力部１５を介して、制御部１１に「電源オフ」指示が入力される。指示を受けた制御部１１は、電源制御部１４に対して、コンテンツ再生装置１０を電源オフ状態に移行するように指示する。なお、ユーザーが「戻る」を選択した場合には、コンテンツ再生装置１０は、特別な処理を実行することなく、コンテンツ再生装置１０のメニュー画面などに戻る。
【００８６】
このとき、図２に示すような映像を表示してから所定時間以上、ユーザーからの操作入力がない場合、ユーザーが操作入力を実行できない状態にある可能性が大きい。したがって、コンテンツ再生装置１０は、図２に示すような映像を表示部５３に表示してから所定の時間が経過すると、制御部１１は電源制御部１４に対して自装置を電源オフ状態に移行するように指示すると共に、ＨＤＭＩインターフェース部１６に対してスタンバイコマンドの送信を指示するようにする。
【００８７】
これによって、コンテンツの再生終了後にユーザーが他のコンテンツを視聴したい場合などのように、ユーザーが引き続き何らかの処理を実行することを所望している場合に、テレビ５０が電源オフ状態に遷移してしまうことを避けることができる。
【００８８】
なお、図２に示す処理はコンテンツ再生装置１０において実行可能な処理の一例を示したのみであり、他の処理を実行させる選択肢をさらに表示するようにしてもよい。例えば、ＨＤＤからコンテンツを読み出して再生していた場合には、再生が終了したコンテンツをＨＤＤから消去する処理を実行する選択肢を用意してもよい。また、図２に示す選択肢をより詳細にしてもよい。例えば、「電源オフ」を選択すると、「自装置のみを電源オフ」、「テレビのみを電源オフ」および「自装置およびテレビを電源オフ」の３つの選択肢がさらに表示されるようにしてもよい。
【００８９】
さらに、ユーザーからの操作入力を待つ時間は、コンテンツ再生装置１０において固定の値であってもよいし、ユーザーにより適宜設定可能な値であってもよい。
【００９０】
また、図２に示す映像を表示するタイミングは、コンテンツ再生装置１０におけるコンテンツの再生終了後であれば特に限定されるものではない。ただし、上述した電源オフ処理におけるスタンバイコマンドの送信と同様に、コンテンツの再生終了時点で表示するようにすることが好ましい。これによって、テレビ５０を電源オフ状態に遷移させるまでに要する無駄な電力の消費を防ぐことができる。
【００９１】
（テレビ５０に接続されている他機器に対する電源オフ処理）
ここまで、テレビ５０をルートデバイスとするＨＤＭＩネットワークにコンテンツ再生装置１０が接続されている態様を例に挙げて説明してきた。ここで、テレビ５０をルートデバイスとするＨＤＭＩネットワークに、コンテンツ再生装置１０以外の機器が接続されている態様について、図３〜図７を参照しつつ以下に説明する。図３は、ＨＤＭＩネットワークを介して、コンテンツ再生装置１０およびコンテンツ再生装置６０がテレビ５０に接続されている状態を示す図である。
【００９２】
なお、コンテンツ再生装置６０は、コンテンツ再生装置１０と同様の構成を有しているものとする。また、本項では、コンテンツ再生装置１０が各装置に対してスタンバイコマンドを送信する場合を例に挙げて説明する。
【００９３】
テレビ５０にコンテンツ再生装置１０以外の装置が接続されている場合、コンテンツ再生装置１０においてコンテンツの再生処理が終了した場合であっても、テレビ５０は他装置において再生されているコンテンツを出力している可能性がある。その場合、テレビ５０および他装置を電源オフ状態に遷移させることは適切でないため、コンテンツ再生装置１０は、テレビ５０において他装置のコンテンツが出力されているか否かを検出する。
【００９４】
コンテンツ再生装置１０は、テレビ５０が他装置において再生されているコンテンツを出力しているか否かにより電源オフ処理を適宜変更する。以下、各パターンごとの電源オフ処理について図４〜図７を参照しつつ以下に説明する。
【００９５】
（ケース１：自装置がＡｃｔｉｖｅ  Ｓｏｕｒｃｅの場合）
まず、コンテンツ再生装置１０においてコンテンツの再生が終了したときに、テレビ５０が他装置のコンテンツを出力していない場合の電源オフ処理をケース１として、図４を参照しつつ説明する。
【００９６】
コンテンツ再生装置１０がコンテンツの再生を開始すると（ステップＳ１０）、コンテンツ再生装置１０は、ＴＶ５０およびコンテンツ再生装置６０に対して、＜Active Source＞コマンドをブロードキャストする（ステップＳ１１）。なお、＜Active Source＞コマンドは、ＣＥＣコマンドにおけるブロードキャストコマンドである。また、本明細書等において「ブロードキャストする」とは、コマンドの送信元の機器に対して、ネットワークを介して接続されている全ての機器に対してコマンドを送信することを意味している。
【００９７】
より具体的には、コンテンツ再生処理部１３においてコンテンツの再生が開始されると、制御部１１はＨＤＭＩインターフェース部１６に対して＜Active Source＞コマンドの送信を指示する。指示を受けたＨＤＭＩインターフェース部１６は、ＨＤＭＩケーブル１００におけるＣＥＣコマンドライン１０２を介して＜Active Source＞コマンドをテレビ５０に送信する。
【００９８】
テレビ５０は、＜Active Source＞コマンドを取得すると共に、コンテンツ再生装置６０に対して、テレビ５０とコンテンツ再生装置６０とを接続しているＨＤＭＩケーブルにおけるＣＥＣコマンドラインを介して、＜Active Source＞コマンドをコンテンツ再生装置６０に転送する。
【００９９】
続いて、コンテンツ再生装置６０から＜Active Source＞コマンドが送信されることなく、コンテンツ再生装置１０においてコンテンツの再生処理が終了すると（ステップＳ１２）、コンテンツ再生装置１０は、ＴＶ５０およびコンテンツ再生装置６０に対してスタンバイコマンドをブロードキャストする。
【０１００】
より具体的には、制御部１１は、コンテンツ再生処理部１３におけるコンテンツ再生処理の終了を検出すると、ＨＤＭＩインターフェース部１６に対してスタンバイコマンドの送信を指示する。指示を受けたＨＤＭＩインターフェース部１６は、＜Active Source＞コマンドと同様に、スタンバイコマンドをテレビ５０に送信する。テレビ５０も、＜Active Source＞コマンドを取得した場合と同様に、コンテンツ再生装置６０に対してスタンバイコマンドをコンテンツ再生装置６０に転送する。
【０１０１】
次に、スタンバイコマンドを取得したテレビ５０における制御部５１は、電源制御部５４に対して電源オフ状態に遷移するように指示する（ステップＳ１４）。電源制御部５４は、テレビ５０の各部材に対する電力の供給を遮断することにより、テレビ５０を電源オフ状態に遷移させる。
【０１０２】
また、テレビ５０から転送されたスタンバイコマンドを取得したコンテンツ再生装置６０は、自装置に備えられた電源制御部に対して電源オフ状態に遷移するように指示する（ステップＳ１５）。コンテンツ再生装置６０における電源制御部は、コンテンツ再生装置６０の各部材に対する電力の供給を遮断することにより、コンテンツ再生装置６０を電源オフ状態に遷移させる。
【０１０３】
このとき、コンテンツ再生装置１０における制御部１１は、ＨＤＭＩインターフェース部１６に対して、スタンバイコマンドの送信を指示すると共に、電源制御部１４に対して自装置を電源オフ状態に遷移させるように指示する（ステップＳ１６）。電源制御部１４は、コンテンツ再生装置１０の各部材に対する電力の供給を遮断することにより、コンテンツ再生装置１０を電源オフ状態に遷移させる。
【０１０４】
このように、コンテンツ再生装置１０におけるコンテンツの再生終了までに他装置（コンテンツ再生装置６０）が「Active Source」とならなかった場合には、テレビ５０がコンテンツ再生装置６０のコンテンツを出力していないことになる。そのため、コンテンツ再生装置１０は、テレビ５０およびコンテンツ再生装置６０を電源オフ状態へと遷移させるように動作する。
【０１０５】
（ケース２：Ａｃｔｉｖｅ  Ｓｏｕｒｃｅの他装置が存在する場合）
次に、コンテンツ再生装置１０においてコンテンツの再生が終了したときに、テレビ５０が他装置のコンテンツを出力している場合の電源オフ処理をケース２として、図５を参照しつつ説明する。
【０１０６】
コンテンツ再生装置１０がコンテンツの再生を開始すると（ステップＳ２０）、コンテンツ再生装置１０は、ＴＶ５０およびコンテンツ再生装置６０に対して、＜Active Source＞コマンドをブロードキャストする（ステップＳ２１）。具体的な処理については、ケース１の場合と同様であるため、ここではその詳細な説明は省略する。
【０１０７】
続いて、コンテンツ再生装置１０におけるコンテンツの再生が終了する前に、コンテンツ再生装置６０においてコンテンツの再生を開始する（ステップＳ２２）。コンテンツ再生装置６０は、先のコンテンツ再生装置１０と同様に、ＴＶ５０およびコンテンツ再生装置１０に対して、＜Active Source＞コマンドをブロードキャストする（ステップＳ２３）。なお、ステップＳ２２およびＳ２３における具体的な処理についても、処理の主体をコンテンツ再生装置１０からコンテンツ再生装置６０に置き換えたのみであるため、ここではその詳細な説明は省略する。
【０１０８】
この処理により、コンテンツ再生装置１０は、ネットワーク上の装置のうち、現在テレビ５０に対してコンテンツを送信している装置（すなわち、コンテンツ再生装置６０）が存在していることを認識する。
【０１０９】
次に、コンテンツ再生装置１０においてコンテンツの再生が終了すると（ステップＳ２４）、コンテンツ再生装置１０における制御部１１は、電源制御部１４に対して自装置を電源オフ状態に遷移するように指示する（ステップＳ２５）。
【０１１０】
このように、コンテンツ再生装置１０におけるコンテンツの再生終了までに他装置（コンテンツ再生装置６０）が「Active Source」になった場合には、コンテンツ再生装置１０におけるコンテンツの再生終了時に、テレビ５０がコンテンツ再生装置６０のコンテンツを出力していることになる。したがって、コンテンツ再生装置１０は、テレビ５０およびコンテンツ再生装置６０を電源オフ状態に遷移させることなく、自装置のみを電源オフ状態に遷移させるように動作する。
【０１１１】
（ケース３：Ａｃｔｉｖｅ  Ｓｏｕｒｃｅを問い合わせる場合）
ケース２の場合、コンテンツ再生装置１０におけるコンテンツの再生終了よりも前にコンテンツ再生装置６０におけるコンテンツの再生が終了している可能性がある。その場合、ケース２の動作では、コンテンツ再生装置６０がテレビ５０にコンテンツを送信していないにも関わらず、電源オフにならない状態が生じてしまう。
【０１１２】
このような状態が生じることを避けるために、コンテンツ再生装置１０は、自装置においてコンテンツの再生が終了した際に、ＨＤＭＩネットワーク上に「Active Source」である装置が存在するか否かを問い合わせるようにする。ここで、自装置においてコンテンツの再生が終了した際に、ＨＤＭＩネットワーク上に「Active Source」である装置が存在するか否かを問い合わせた結果、「Active Source」である装置が存在しない場合をケース３として、図６を参照しつつ説明する。
【０１１３】
コンテンツ再生装置１０がコンテンツの再生を開始すると（ステップＳ３０）、コンテンツ再生装置１０は、ＴＶ５０およびコンテンツ再生装置６０に対して、＜Active Source＞コマンドをブロードキャストする（ステップＳ３１）。具体的な処理については、ケース１および２の場合と同様であるため、ここではその詳細な説明は省略する。
【０１１４】
続いて、コンテンツ再生装置１０におけるコンテンツの再生が終了する前に、コンテンツ再生装置６０においてコンテンツの再生を開始する（ステップＳ３２）。コンテンツ再生装置６０は、先のコンテンツ再生装置１０と同様に、ＴＶ５０およびコンテンツ再生装置１０に対して、＜Active Source＞コマンドをブロードキャストする（ステップＳ３３）。ここでも、具体的な処理については、ケース２の場合と同様であるため、詳細な説明は省略する。
【０１１５】
ここで、コンテンツ再生装置６０は、コンテンツ再生装置１０におけるコンテンツの再生が終了する前にコンテンツの再生を終了する（ステップＳ３４）。
【０１１６】
次に、コンテンツ再生装置１０においてコンテンツの再生が終了すると（ステップＳ３５）、コンテンツ再生装置１０は、ＴＶ５０およびコンテンツ再生装置６０に対して、＜Request Active Source＞コマンドをブロードキャストする（ステップＳ３６）。
【０１１７】
より具体的には、制御部１１がコンテンツ再生処理部１３におけるコンテンツの再生処理の終了を検出すると、制御部１１はＨＤＭＩインターフェース部１６に対して＜Request Active Source＞コマンドの送信を指示する。指示を受けたＨＤＭＩインターフェース部１６は、ＨＤＭＩケーブル１００におけるＣＥＣコマンドライン１０２を介して＜Request Active Source＞コマンドをテレビ５０に送信する。
【０１１８】
テレビ５０は、＜Request Active Source＞コマンドを取得すると共に、コンテンツ再生装置６０に対して、テレビ５０とコンテンツ再生装置６０とを接続しているＨＤＭＩケーブルにおけるＣＥＣコマンドラインを介して、＜Request Active Source＞コマンドをコンテンツ再生装置６０に転送する。
【０１１９】
ここで、＜Request Active Source＞コマンドは、ＣＥＣコマンドにおけるブロードキャストコマンドである。また、＜Request Active Source＞コマンドを取得した装置が「Active Source」である場合、取得した装置は＜Active Source＞コマンドをブロードキャストする。
【０１２０】
＜Request Active Source＞コマンドを送信したコンテンツ再生装置１０は、ＨＤＭＩネットワークに接続された他装置から＜Active Source＞コマンドが送信されてくるのを待つ（ステップＳ３７）。コンテンツ再生装置１０が＜Request Active Source＞コマンドを送信してから所定時間内（ＨＤＭＩの場合は規格により１秒以内）に＜Active Source＞コマンドをコンテンツ再生装置６０から取得しない場合、コンテンツ再生装置１０は、ＴＶ５０およびコンテンツ再生装置６０に対してスタンバイコマンドをブロードキャストする（ステップＳ３８）。
【０１２１】
より具体的には、制御部１１は、所定時間内にコンテンツ再生装置６０から＜Active Source＞コマンドを取得しない場合、ＨＤＭＩインターフェース部１６に対してスタンバイコマンドの送信を指示する。指示を受けたＨＤＭＩインターフェース部１６は、ケース１の場合と同様に、スタンバイコマンドをテレビ５０に送信する。スタンバイコマンドを取得したテレビ５０は、ケース１の場合と同様にして、コンテンツ再生装置６０に対してスタンバイコマンドをコンテンツ再生装置６０に転送する。
【０１２２】
スタンバイコマンドを取得したテレビ５０における制御部５１は、電源制御部５４に対して電源オフ状態に遷移するように指示する（ステップＳ３９）。電源制御部５４は、テレビ５０の各部材に対する電力の供給を遮断することにより、テレビ５０を電源オフ状態に遷移させる。
【０１２３】
また、テレビ５０から転送されたスタンバイコマンドを取得したコンテンツ再生装置６０は、自装置に備えられた電源制御部に対して電源オフ状態に遷移するように指示する（ステップＳ４０）。指示を受けた電源制御部は、コンテンツ再生装置６０の各部材に対する電力の供給を遮断することにより、コンテンツ再生装置６０を電源オフ状態に遷移させる。
【０１２４】
このとき、コンテンツ再生装置１０における制御部１１は、ＨＤＭＩインターフェース部１６に対して、スタンバイコマンドの送信を指示すると共に、電源制御部１４に対して自装置を電源オフ状態に遷移させるように指示する（ステップＳ４１）。指示を受けた電源制御部１４は、コンテンツ再生装置１０の各部材に対する電力の供給を遮断することにより、コンテンツ再生装置１０を電源オフ状態に遷移させる。
【０１２５】
このように、コンテンツ再生装置１０は、コンテンツ再生終了時に、＜Request Active Source＞コマンドをブロードキャストすることにより、コンテンツの再生終了までに他装置（コンテンツ再生装置６０）がコンテンツの再生を終了としており、「Active Source」でなくなっている場合を検出することができる。コンテンツ再生装置１０は、テレビ５０およびコンテンツ再生装置６０を電源オフ状態へと遷移させるように動作する。
【０１２６】
（ケース４：問い合わせに対してActive Sourceをの返答を受けた場合）
最後に、コンテンツ再生装置１０が送信した＜Request Active Source＞コマンドに対して、コンテンツ再生装置６０が＜Active Source＞コマンドを返す場合の電源オフ処理について、図７を参照しつつ説明する。
【０１２７】
コンテンツ再生装置１０がコンテンツの再生を開始すると（ステップＳ５０）、コンテンツ再生装置１０は、ＴＶ５０およびコンテンツ再生装置６０に対して、＜Active Source＞コマンドをブロードキャストする（ステップＳ５１）。具体的な処理については、ケース１〜３と同様であるため、その詳細な説明については省略する。
【０１２８】
続いて、コンテンツ再生装置１０におけるコンテンツの再生が終了する前に、コンテンツ再生装置６０においてコンテンツの再生を開始する（ステップＳ５２）。コンテンツ再生装置６０は、先のコンテンツ再生装置１０と同様に、ＴＶ５０およびコンテンツ再生装置１０に対して、＜Active Source＞コマンドをブロードキャストする（ステップＳ５３）。ここでも、具体的な処理については、ケース２および３の場合と同様であるため、詳細な説明は省略する。
【０１２９】
次に、コンテンツ再生装置１０においてコンテンツの再生が終了すると（ステップＳ５４）、コンテンツ再生装置１０は、ＴＶ５０およびコンテンツ再生装置６０に対して、＜Request Active Source＞コマンドをブロードキャストする（ステップＳ５５）。具体的な処理については、ケース３と同様であるため、詳細な説明については省略する。
【０１３０】
このとき、コンテンツ再生装置６０は、「Active Source」のままであるため、コンテンツ再生装置１０から送信される＜Request Active Source＞コマンドに対して、自身が「Active Source」であることを通知する。具体的には、コンテンツ再生装置６０は、＜Active Source＞コマンドをブロードキャストする（ステップＳ５６）。
【０１３１】
コンテンツ再生装置１０は、コンテンツ再生装置６０からの＜Active Source＞コマンドを取得することにより、テレビ５０に対してコンテンツを送信している装置（コンテンツ再生装置６０）が存在していることを認識する。したがって、コンテンツ再生装置１０における制御部１１は、電源制御部１４に対して自装置を電源オフ状態に遷移するように指示する（ステップＳ５７）。これによって、コンテンツ再生装置１０は、テレビ５０およびコンテンツ再生装置６０を電源オフ状態に遷移させることなく、自装置のみを電源オフ状態に遷移させるように動作する。
【０１３２】
ここで、コンテンツの再生処理が終了した後に図２に示すような映像をテレビ５０に表示させる構成の場合、図４におけるステップＳ１３のスタンバイコマンドの送信は、図２に示すような映像を表示し、一定時間ユーザーからの入力指示がない場合に送信することになる。
【０１３３】
また、図６におけるステップＳ３６および図７におけるステップＳ５５は、図２に示すような映像を表示させつつ実行するようにしてもよい。この場合、コンテンツ再生装置１０は、＜Request Active Source＞コマンドに対しての返答がなく、かつ、一定時間ユーザーからの入力指示がない場合にスタンバイコマンドを送信するようにする。
【０１３４】
なお、＜Request Active Source＞コマンドの送信タイミングは、コンテンツ再生装置１０におけるコンテンツの再生終了後であれば特に限定されるものではない。ただし、テレビ５０およびコンテンツ再生装置６０における無駄な電力の消費を防ぐという観点からは、コンテンツの再生終了した時点でブロードキャストすることが好ましい。
【０１３５】
（付記事項）
上述したようなコンテンツ再生装置１０におけるコンテンツの再生が終了した後にテレビ５０を電源オフ状態に遷移させる機能（以下、自動電源オフ機能とも称する）は、ユーザーにより機能をオフ状態とすることができるようにしてもよい。すなわち、コンテンツ再生装置１０は、自動電源オフ機能がオン状態であるか否かを判定し、オン状態の場合には上述したような電源オフ処理を実行するようにする。自動電源オフ機能がオフ状態である場合には、電源オフ処理は実行しない。
【０１３６】
ここで、上述した処理では、スタンバイコマンドをブロードキャストコマンドとして説明しているが、論理アドレスにより対象となる機器を指定して送信されるＣＥＣコマンドの形態であってもよい。
【０１３７】
上述した実施形態では、テレビ５０をルートデバイスとするＨＤＭＩネットワークに、コンテンツ再生装置１０およびコンテンツ再生装置６０の２つの機器が接続されている場合を例に挙げて説明しているが、もちろんこれに限定されるものではない。ＨＤＭＩネットワークに他の機器が接続されていた場合であっても同様の処理となる。また、ＨＤＭＩネットワークに接続されている装置は、コンテンツ再生装置以外の装置であってもよい。さらに、コンテンツ再生装置１０およびコンテンツ再生装置６０にさらに機器が接続されていてもよい。
【０１３８】
なお、本実施形態では、コンテンツをユーザーに対して出力するコンテンツ出力装置（テレビ５０）と、コンテンツ出力装置に対して再生したコンテンツを供給するコンテンツ供給装置（コンテンツ再生装置１０）とをＨＤＭＩネットワークを介して接続している場合を例に挙げて説明しているが、本発明は以下のように表現することもできる。
【０１３９】
ネットワークを介してマスター装置に接続されたスレーブ装置であって、データを処理する処理手段と、上記処理手段において処理されたデータを上記マスター装置に供給する供給手段と、上記処理手段において上記データの処理が終了した後、上記マスター装置に対して電源オフ状態に遷移させるための遷移コマンドを発行する発行手段と、を備えているスレーブ装置。
【０１４０】
上記の構成を本実施形態において当てはめると、スレーブ装置がコンテンツ再生装置１０に相当し、マスター装置がテレビ５０に相当する。また、ＨＤＭＩネットワークでは、データの出力条件を指定する出力指定情報であるＥＤＩＤを有するテレビ５０がマスター装置となり、それに基づいてデータを処理するコンテンツ再生装置１０がスレーブ装置となる。
【０１４１】
（プログラムおよび記録媒体）
コンテンツ再生装置１０に含まれている制御部１１および電源制御部１４は、ハードウェアロジックによって構成すればよい。または、次のように、ＣＰＵ（Central Processing Unit）を用いてソフトウェアによって実現してもよい。
【０１４２】
すなわち、制御部１１および電源制御部１４は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１４３】
そして、本発明の目的は、制御部１１および電源制御部１４のプログラムメモリに固定的に担持されている場合に限らず、上記プログラムのプログラムコード（実行形式プログラム、中間コードプログラム、または、ソースプログラム）を記録した記録媒体をコンテンツ再生装置１０に供給し、コンテンツ再生装置１０が上記記録媒体に記録されている上記プログラムコードを読み出して実行することによっても、達成可能である。
【０１４４】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１４５】
また、制御部１１および電源制御部１４（またはコンテンツ再生装置１０）を通信ネットワークと接続可能に構成しても、本発明の目的を達成できる。この場合、上記のプログラムコードを、通信ネットワークを介して制御部１１および電源制御部１４に供給する。この通信ネットワークは制御部１１および電源制御部１４にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１４６】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１４７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４８】
本発明は、ＤＶＤやＢＤなどの光ディスクに対してコンテンツデータを記録したり、光ディスクに記録されたコンテンツデータを読み出し、コンテンツを再生したりするＤＶＤレコーダやＢＤレコーダなどのコンテンツ記録再生装置に好適に用いることができる。
【符号の説明】
【０１４９】
１０      コンテンツ再生装置（コンテンツ供給装置、スレーブ装置）
１１      制御部
１２      コンテンツ読出部
１３      コンテンツ再生処理部（再生手段）
１４      電源制御部
１５      操作入力部（受付手段）
１６      ＨＤＭＩインターフェース部（供給手段、発行手段）
５０      テレビ（コンテンツ出力装置、マスター装置）
５１      制御部
５２      コンテンツ表示処理部
５３      表示部
５４      電源制御部
５５      ＨＤＭＩインターフェース部
１００    ＨＤＭＩケーブル
１０１    ストリームライン
１０２    ＣＥＣコマンドライン
【図１】
2011055142.tif 000003
【図２】
2011055142.tif 000004
【図３】
2011055142.tif 000005
【図４】
2011055142.tif 000006
【図５】
2011055142.tif 000007
【図６】
2011055142.tif 000008
【図７】
2011055142.tif 000009